(57)【要約】【課題】インクを吐出口から強制的に排出するために、ポンプの駆動により圧力室に貯めた負圧を吐出口に付与することで吸引回復処理を行うインクジェット記録装置において、ポンプの大型化や圧力室の減圧時間の増大を来たすことなく、効率の高い吸引回復処理を行うことができるようにする。【解決手段】圧力室を減圧して負圧状態にする処理を、インクを排出させる処理に先立つ記録動作中または記録待機中のタイミングで行うようにする。【選択図】図４
2011131491.tif 000002
【特許請求の範囲】
【請求項１】
インクを吐出する吐出口が設けられた記録ヘッドの面を密閉するキャップと、
該キャップに接続されて吸引力を発生するポンプと、
前記キャップと前記ポンプとの接続路に設けられ、前記ポンプの駆動に伴って減圧される圧力室と、
該圧力室と前記キャップとの接続路に設けられてその開閉を行う弁と、
該弁を閉じた状態で前記ポンプを駆動することにより前記圧力室を減圧して負圧状態とした後、前記圧力室の減圧された圧力によって前記キャップにより前記面を密閉した状態で前記弁を開くことで前記吐出口に負圧を付与することで前記インクを排出させる処理を行う制御手段と、
を具え、該制御手段は、前記圧力室内の圧力を所定の負圧になるように前記ポンプを駆動する処理を、前記インクを排出させる処理に先立つ記録動作中または記録待機中のタイミングで行うことを特徴とするインクジェット記録装置。
【請求項２】
前記インクの温度を検出する温度センサをさらに具え、前記制御手段は、前記インクを排出させる処理に先立ち、前記温度センサにより検出された前記インクの温度に対応して前記圧力室内の圧力を所定の負圧に調整することを特徴とする請求項１に記載のインクジェット記録装置。
【請求項３】
前記制御手段は、前記インクの温度による粘度の変化を考慮して、前記吐出口に付与すべき最大負圧より大きな負圧状態となるよう前記圧力室を減圧するとともに、前記インクを排出させる処理に先立ち、前記温度センサにより検出された前記インクの温度に対応して、前記圧力室内の負圧を緩和する手段を有することを特徴とする請求項２に記載のインクジェット記録装置。
【請求項４】
前記制御手段は、前記インクの温度による粘度の変化を考慮して、前記吐出口に付与すべき最大負圧と最小負圧との中間の負圧状態となるよう前記圧力室を減圧するとともに、前記インクを排出させる処理に先立ち、前記温度センサにより検出された前記インクの温度に対応して、前記圧力室内の負圧を緩和または増大させる手段を有することを特徴とする請求項２に記載のインクジェット記録装置。
【請求項５】
前記インクの温度を検出する温度センサをさらに具え、前記制御手段は、前記温度センサにより検出された前記インクの温度に対応して、前記弁を開くことで前記吐出口に負圧を付与する時間を調整することを特徴とする請求項１に記載のインクジェット記録装置。
【請求項６】
前記制御手段は、前記インクの温度による粘度の変化を考慮して、前記吐出口に付与すべき最大負圧より大きな負圧状態となるよう前記圧力室を減圧することを特徴とする請求項５に記載のインクジェット記録装置。
【発明の詳細な説明】
【技術分野】
【０００１】
本発明は、記録媒体上にインクを吐出する記録ヘッドを用いて画像記録を行うインクジェット記録装置に関し、特に記録ヘッドのインク吐出状態を良好な状態に維持または回復するための回復処理の技術に関するものである。
【背景技術】
【０００２】
インクジェット記録方式は、液体であるインクを媒介として画像形成を行うシステムであるため、インクを吐出する記録ヘッドのインク吐出状態を良好な状態に維持または回復するための回復処理技術が非常に重要な要素となっている。
【０００３】
回復処理を必要とする理由としては次のようなものが挙げられる。記録ヘッドには、記録の高速化や高解像化の目的で複数のノズル（以下、特にことわらない限り、吐出口、これに連通する液路およびインク吐出に利用されるエネルギを発生するための素子を総称して言う）が配列されるのが一般的である。しかし、記録すべき画像データによっては、記録中にインク吐出に用いられないノズルが生じることがある。そのようなノズルでは、吐出口からのインク溶剤の蒸発が生じて吐出口ないし液路内のインク粘度が増加したり、外部から吐出口ないし液路内に塵埃が侵入したりすることがある。これらは、記録の待機中においてはすべてのノズルにおいて生じ得る問題でもある。すると、その後にノズルを使用するに際して、通常のインク吐出用のエネルギが付与されても安定したインク吐出が行えなくなり、吐出不良が生じることがある。また、各液路や、複数の液路に共通に連通する共通液室などの部分に泡が存在すると、吐出口や記録ヘッドを構成する材質の内部を透過してきたガスが泡に取り込まれ成長したり、記録時の昇温により泡が膨張したりすることがある。これらによってインク供給源からのインク供給が阻害され、結果としてインク吐出不良が生じる。
【０００４】
これらの問題を解決する回復処理技術としては、吸引回復処理と称されるものがある。これは、記録ヘッドのインク吐出口形成面上に密閉空間を形成するキャップ部材を接合させ、ポンプを用いて密閉空間に周囲圧力未満の圧力（負圧）を作用させて吐出口よりインクを吸引することにより、吐出口内方のインクを強制排出させる処理である。
【０００５】
特許文献１には、強い負圧ないしは吸引力を瞬時に作用させ、インクを吐出口から効率良く強制的に排出するために、キャップ部材とポンプとを接続する吸引経路に圧力室およびバルブを配設してなる吸引回復処理系の構成が開示されている。そして、吸引回復時にまずバルブを閉じてポンプを駆動させることにより圧力室の負圧を強く（絶対圧を低く）しておき、所望の負圧が得られたところでポンプを停止し、バルブを開放することでノズルに負圧を付与するようにしている。そして、この吸引回復処理によれば、必要な圧力をノズルに瞬時に付与することができるため、廃インク量を削減することが可能となるとされている。
【０００６】
しかしながら、最近では記録の一層の高速化が要望されており、そのため記録ヘッドとしてはより多数のノズルが配列されるようになってきている。すなわち、このようにノズルの数を配列方向に増大させる（記録ヘッドを長尺ないし大型化する）ことで、より広い記録幅を確保するのである。また、記録のカラー化の要望に伴い、一色調に対応した単一の記録ヘッドだけでなく、複数色調（色，濃度）に対応して複数の記録ヘッドを用いる構成のインクジェット記録装置も一般的なものとなっている。
【０００７】
しかしそのような長尺ヘッドや複数の記録ヘッドに対し、上記吸引回復処理を単一のポンプで行う場合には、キャップ内容積や、バルブからキャップまでの吸引路体積が増加する。このため、高い吸引力をノズルに加えるには圧力室の容積をさらに大きくする必要がある。圧力室に貯めた負圧は、バルブを開くことにより圧力の作用する体積が増大するために小さくなってしまうからである。しかし、圧力室の容積を大きくすると、圧力室を所定の負圧にまで減圧するのに要する時間が長くなる。この時間を短縮するためには、能力の高いポンプを採用することが考えられるが、これは装置の大規模化をもたらすために好ましいことではない。また、ノズルに作用させる所要の負圧を確保するために、圧力室に貯める負圧を増すことも考えられるが、圧力室の容積を大きくするのと同様に圧力室の減圧に非常に多くの時間を要する。さらに、インクの状態（特に粘度）は環境条件（特に温度）によって変化する。従って、インクの様々な状態に対応するために高い吸引力をノズルに付与するようにした場合には、環境条件によっては過剰な吸引力が作用することで、吸引の結果として生じる廃インクの量が増大することにもつながっていた。
【０００８】
これらは、記録ヘッドが長尺化するほど、または記録ヘッド数が増大するほど大きな問題となる。また、記録媒体の幅の方向に、その幅に対応した範囲にわたってノズルを配列してなるライン状記録ヘッドを用いて記録を行う所謂ラインプリンタ形態のインクジェット記録装置においては一層顕著な問題となる。
【先行技術文献】
【特許文献】
【０００９】
【特許文献１】特開２００２−２００７７７号公報
【発明の概要】
【発明が解決しようとする課題】
【００１０】
よって本発明は、ポンプの大型化や圧力室の減圧時間の増大、さらには廃インク量の増大を来たすことなく、小型にして効率の高い吸引回復処理を行うことができるようにすることを目的とする。
【課題を解決するための手段】
【００１１】
そのために、本発明インクジェット記録装置は、インクを吐出する吐出口が設けられた記録ヘッドの面を密閉するキャップと、
該キャップに接続されて吸引力を発生するポンプと、
前記キャップと前記ポンプとの接続路に設けられ、前記ポンプの駆動に伴って減圧される圧力室と、
該圧力室と前記キャップとの接続路に設けられてその開閉を行う弁と、
該弁を閉じた状態で前記ポンプを駆動することにより前記圧力室を減圧して負圧状態とした後、前記圧力室の減圧された圧力によって前記キャップにより前記面を密閉した状態で前記弁を開くことで前記吐出口に負圧を付与することで前記インクを排出させる処理を行う制御手段と、
を具え、該制御手段は、前記圧力室内の圧力を所定の負圧になるように前記ポンプを駆動する処理を、前記インクを排出させる処理に先立つ記録動作中または記録待機中のタイミングで行うことを特徴とする。
【発明の効果】
【００１２】
本発明によれば、吸引回復処理に先立ち予め圧力室内を減圧しておくことで、ポンプの大型化や圧力室の減圧時間の増大、さらには廃インク量の増大を来たすことなく、小型にして効率の高い吸引回復処理を行うことができるようになる。
【図面の簡単な説明】
【００１３】
【図１】本発明を適用可能なインクジェット記録装置の一実施形態を示す模式図である。
【図２】図１のインクジェット記録装置の制御系の構成例を示すブロック図である。
【図３】図１のインクジェット記録装置における吸引回復系の構成例を説明するための模式図である。
【図４】本発明の一実施形態に係る吸引回復動作の処理手順の例を示すフローチャートである。
【図５】図４の処理過程における圧力室内の圧力変化を示す説明図である。
【図６】インクの粘度に応じた圧力調整を行った場合と行わなかった場合とにおける圧力室内の圧力変化を示す説明図である。
【図７】吸引回復に必要な圧力を求める処理を説明するための説明図である。
【図８】本発明の一実施形態の変形例に係る吸引回復動作の処理手順の例を示すフローチャートである。
【図９】本発明の第２の実施形態に係る吸引回復動作の処理手順の例を示すフローチャートである。
【図１０】図９の処理過程における圧力室内の圧力変化を示す説明図である。
【図１１】吸引回復系の他の実施形態を説明するための模式図である。
【発明を実施するための形態】
【００１４】
以下、図面を参照して本発明の実施形態を詳細に説明する。
【００１５】
（機械的構成）
図１は、本発明を適用可能なインクジェット記録装置の一実施形態を示す模式図である。インクジェット記録装置（以下、プリンタとも言う）１０は、画像データの供給源をなす外部装置であるパーソナルコンピュータ形態のホスト装置１２に接続されている。プリンタ１０には、記録媒体Ｐに対してフルカラー記録を行うべく、ブラック（Ｋ）、シアン（Ｃ）、マゼンタ（Ｍ）およびイエロー（Ｙ）のインクを吐出するための記録ヘッド２２Ｋ、２２Ｃ、２２Ｍおよび２２Ｙが搭載されている。これらの記録ヘッド２２Ｋ、２２Ｃ、２２Ｍおよび２２Ｙは、記録媒体の幅の方向に、その幅に対応した範囲にわたってノズルを配列してなるラインヘッド形態のものである。なお、記録ヘッドの個数や、色調（色、濃度）の種類および吐出する液体の種類などはあくまでも例示であることは言うまでもない。以下においては、色を特定しない場合には、記録ヘッドを符号２２で総括的に参照する。
【００１６】
記録ヘッド２２は、記録媒体Ｐの幅方向（媒体搬送方向Ａに直交する方向）に所定密度で所定範囲にわたって配列されたインクの吐出口を有する。所定範囲とは、プリンタ１０で印刷可能な記録媒体上の最大の有効記録幅（紙面に直交する方向の長さ）よりもやや長いものとする。記録ヘッド２２は不図示の保持部により保持されるとともに、その保持部とともに鉛直方向（Ｂ方向）に昇降可能である。また、各記録ヘッド２２に対応するキャップ５０を有した回復ユニット４０は水平方向（Ａ方向）に移動可能に保持されている。
【００１７】
保管状態もしくは印刷待機中など非印刷時には、記録ヘッド２２の吐出口形成面２２Ｓにキャップ５０を施した状態とする。非印刷時に記録ヘッドの吐出口形成面が大気に曝されていると、吐出口付近のインクの溶剤が蒸発してインクの増粘・固化が生じたり、塵埃が付着したりして吐出不良が生じる恐れがあるからである。また、インクを吐出する記録ヘッドはその特性上、インク吐出状態を安定した状態に維持または回復させるための吐出回復処理を行うことが望ましく、キャッピング状態は回復ユニット４０によるそのような回復処理を可能とする状態でもある。本実施形態の吐出回復処理には、後述するように、キャッピング状態においてキャップ内空間ないしはノズルに負圧を付与することで、インクを吐出口から吸引する吸引回復動作が含まれる。また、印刷前にキャップに向けて記録ヘッドに予備的な吐出動作を行わせる予備吐出動作を含むことができる。さらに、ゴム等の弾性部材でなるワイパーブレードで記録ヘッドの吐出口形成面をワイピングすることでクリーニングする動作も含むことができる。回復ユニット４０は、これらの動作が行われるようにするための部分を有している。
【００１８】
キャッピング状態から印刷動作に移行する場合には、保持部ないし記録ヘッド２２を一旦上昇させてから回復ユニット４０を左方に退避させ、さらに回復ユニット４０のキャップ５０間に設けた開口に各記録ヘッド２２が対向するようにする。そして保持部ないし記録ヘッド２２を下降させ、キャップ間の開口から記録ヘッド２２を下方に突出させ、記録媒体Ｐと所定の間隙をもって対向する位置に設定する。そして、その位置で記録ヘッド２２を固定する一方、記録媒体ＰをＡ方向に搬送し、その過程で記録ヘッド２２にインク吐出動作を行わせることで、画像を記録する印刷動作が実行される。なお、印刷動作が終了し、非印刷時の状態に設定する場合は、逆の動作を行えばよい。
【００１９】
ロール紙形態の記録媒体Ｐは供給ユニット２４から供給され、プリンタ１０に組み込まれた搬送機構２６によって矢印Ａ方向に搬送される。搬送機構２６は、記録媒体Ｐを載置して搬送する搬送ベルト２６ａ、この搬送ベルト２６ａを回転させる搬送モータ２６ｂ、搬送ベルト２６ａに張力を与えるローラ２６ｃなどから構成されている。なお、記録媒体Ｐとしては、ロール紙の形態に限られることなく、適宜のものであってもよいことは勿論である。
【００２０】
図１の構成において、記録媒体Ｐに画像を形成する際には、搬送中の記録媒体Ｐの記録開始位置がＫ用の記録ヘッド２２Ｋの下に到達した後に、印刷データ（画像データ）に基づいて記録ヘッド２２Ｋの吐出口からＫインクを選択的に吐出する。同様に、記録ヘッド２２Ｃ、記録ヘッド２２Ｍ、記録ヘッド２２Ｙの順に、各色のインクを吐出してカラー画像を記録媒体Ｐに形成する。
【００２１】
プリンタ１０には、以上の各部の他、記録ヘッド２２Ｋ、２２Ｃ、２２Ｍおよび２２Ｙにそれぞれ供給される各色のインクを貯留するインクタンク２８Ｋ、２８Ｃ、２８Ｍおよび２８Ｙ（以下、特定しない場合には、符号２８で総括的に参照する）。また、インクを吐出口からキャップ内に強制排出させたりするためのポンプ機構なども配置される。
【００２２】
（制御系の構成）
図２は、図１のインクジェット記録装置の制御系の構成例を示すブロック図である。ホスト装置１２から送信された記録データやコマンドはインターフェイスコントローラ１０２を介してＣＰＵ１００に受信される。ＣＰＵ１００は、プリンタ１０の記録データの受信、記録動作、記録媒体Ｐのハンドリング等全般の制御を掌る演算処理装置である。ＣＰＵ１００では、受信したコマンドを解析した後に、印刷データの成分のイメージデータをイメージメモリ１０６にビットマップ展開し、さらにラスタ分割して各記録ヘッドで記録するデータを割り当てる。
【００２３】
印刷前の処理動作としては、出力ポート１１４および駆動部１１６を介して、キャッピングモータ１２２とヘッドアップダウンモータ１１８とを駆動し、記録ヘッド２２をキャップ５０から離して記録位置（画像形成位置）に移動させる動作がある。続いて、出力ポート１１４および駆動部１１６を介してロールモータ（不図示）を駆動するとともに、搬送モータ２６ｂ等を駆動する。なお、キャッピングモータ１２２は回復ユニット４０を水平方向に移動させるための駆動源を、ヘッドアップダウンモータ１１８は記録ヘッド２２を昇降させるための駆動源をなすものである。また、ロールモータは記録媒体Ｐを供給するための駆動源を、搬送モータ２６ｂは記録ヘッド２２による記録位置に対して記録媒体Ｐを搬送するための駆動源をなすものである。
【００２４】
一定速度で搬送される記録媒体Ｐにインクを吐出し始めるタイミングを決定するため、先端検知センサで記録媒体Ｐの先端位置を検出する。その後、記録媒体Ｐの搬送に同期して、ＣＰＵ１００はイメージメモリ１０６から対応する記録ヘッド２２に送出するデータを順次に読み出し、記録ヘッド制御回路１１２介して、当該読み出したデータを各記録ヘッド２２に転送する。
【００２５】
プリンタ１０には、所要の動作を行う前提となる状態検出を行うためにセンサ群１３０が設けられる。センサ群１３０には、上述した先端検知センサや、温度センサのほか、後述する圧力センサなどが含まれる。これらのセンサによる検知信号は、入力ポート１３２を介してＣＰＵ１００に送信される。ＣＰＵ１００は、プログラムＲＯＭ１０４に記憶された処理プログラムに基づいて各部を制御する。プログラムＲＯＭ１０４には、図４について後述する処理手順等に対応した処理プログラムや、所要の固定データを格納するテーブルなどが記憶されている。また、ワークＲＡＭ１０８は、ＣＰＵ１００による処理の過程で作業用のメモリとして使用される。
【００２６】
記録ヘッド２２の吐出回復処理には、記録ヘッド２２を回復ユニット４０のキャップ５０によってキャッピングした状態で行う吸引回復動作が含まれる。この場合、出力ポート１１４および駆動部１１６を介し、後述の吸引ポンプ２０１を駆動するための駆動源をなすポンプモータ１２４が駆動される。また、同じく後述する開閉弁を含んだアクチュエータ部１２６が駆動される。
【００２７】
（インク系の構成）
図３は、本実施形態のインクジェット記録装置における各色インク系の構成を説明するための模式図である。各色の記録ヘッド２２は各色のインクタンク２８とチューブ２０９を介して接続されている。インクタンク２８は大気と連通しており、記録ヘッド２２のノズルにはインクタンクの液面とノズル位置との水頭差に対応した負圧が作用している。この負圧により、ノズルにはメニスカスが形成されている。また、記録ヘッド２２とインクタンク２８を接続するチューブ２０９にはインク温度検知センサ２０７が取付けられ、記録ヘッド２２に流入するインクの温度を検知している。なお、このインク温度検知センサ２０７は、記録ヘッド２２に流入するインクの温度をできるだけ正確に検知できるよう、記録ヘッド２２にできるだけ近い場所に設置されることが好ましい。
【００２８】
図３は、記録ヘッド２２に対してキャップ５０を接合させた状態を示しており、この状態において吐出口形成面２２Ｓは実質的に密閉される。キャップ５０は、接続路（吸引路）２０５を介して吸引ポンプ２０１と接続されている。吸引ポンプ２０１としては適宜の形態のものを採用することができ、本実施形態においてはチューブポンプ形態のものを用いている。これは、吸引路２０５の少なくとも一部を可撓性チューブで形成し、これを沿わせて保持する曲面が形成された部材と、これに向けて可撓性チューブを押圧可能なローラと、このローラを支持して回転可能なローラ支持部とを有するものとすることができる。すなわち、ローラ支持部を所定方向に回転させることで、ローラは曲面形成部材上で可撓性チューブを押しつぶしながら転動する。チューブポンプで構成された吸引ポンプ２０１は、駆動停止状態では流路を遮断することができる。
【００２９】
また、キャップ５０と吸引ポンプ２０１との間の吸引路２０５には回復弁２０３が設けられ、吸引路の遮断／開放ができる構成となっている。さらに、吸引路２０５には所定容量（キャップ５０が画成する空間の容量と吸引路の容量との和に対して十分大きい容量）を持つ圧力室２０２が設けられ、吸引ポンプ２０１を駆動することで必要な減圧状態を得る（負圧を溜める）ことができるようになっている。圧力室２０２には圧力センサ２０６が取付けられており、圧力室２０２の圧力を検知できる。吸引ポンプ２０１の先には廃インクタンク２０４が設けられ、吸引回復動作に伴って発生した廃インクを貯留可能である。
【００３０】
（吸引回復動作の制御手順）
図４は、本実施形態に係る吸引回復動作の処理手順の例を示すフローチャート、図５は、当該処理過程における圧力センサの検出値、すなわち圧力室内の圧力変化を示すグラフであり、これらの図を用いて本実施形態の吸引回復動作を説明する。図４の手順は、適宜のタイミングで起動される。この実施形態においては、記録ヘッド２２に対する前回の吸引回復動作後からの記録ヘッド２２のインクの累積吐出数をカウントし、そのカウント値がある値に達した段階で起動する。通常インクジェット記録装置は、記録ヘッド２２のインクの累積吐出数が所定の値に達すると吸引回復動作を行うようにされている。そこで、本実施形態では、累積吐出数がその所定値に達する直前のある値（第２の所定値）に達したときに吸引回復動作を指令して図４の手順を起動することで、実際に吸引回復動作を行う前に予め圧力室２０２内を所定負圧に減圧する動作を行うようにする。
【００３１】
図４の手順が起動されると、圧力室２０２内の圧力が予め設定された所定負圧となっているか否かを圧力センサ２０６の検出値に基づいて判定する。ここで否定判定された場合には、当該所定負圧となるまでポンプ２０１を駆動する（ステップＳ１、Ｓ３）。なお、これらの処理は、回復弁２０３が閉じられていることを前提とする。また、所定負圧としては、インクの粘度から想定される回復に必要な最大負圧より大きな負圧に設定する。回復に必要な最大負圧とは、インク粘度が装置の使用環境範囲内で一番低温時の状態において、インクに吸引力を作用させて所定の流速を確保することができる負圧のことである。これは次の理由による。装置の使用環境範囲によってインクの粘度は変化し、装置の使用環境範囲内で一番低温の状態においてインクの粘度は一番高くなる。従って、インクの粘度が高くなるとインクは動きにくくなり、インクに大きな吸引力を作用させないと必要な流速を確保することができないからである。また、インクに所定以上の流速を与えて吸引することによって、増粘したインクや塵埃を効果的に除去できるからである。
【００３２】
回復に必要な圧力は図７に示す関係から求められる。図７に示す各々のインクＸ、Ｙ、Ｚはそれぞれ粘度特性ηを持ちノズルから吸引される流量Qと、吸引に必要な圧力Ｐはインク毎に異なる。インクＸは粘度特性が高く、圧力Ｐを上げても流量Ｑの増加が少ない。また、インクＺは粘度特性ηが低い為圧力Ｐを上げると共に流量Ｑが増加する。ここでインクＸは吸引圧力Ｐｘ、インクＹは吸引圧力Ｐｙ、インクＺは吸引圧力Ｐｚが吸引に必要な圧力である。インク粘度特性は、例えば色によっても多少の違いはあり、染料と顔料の違いによっても異なる。さらに言えば水性や油性のインクでも異なるため、それらのインクを用いる場合には粘度特性の違いによる圧力設定は特に重要となる。すなわち、インクの粘度特性と環境温度による粘度変化によって流量は変化するため、予め各々のインクに適した吸引圧力をこれらのデータをテーブルとしてプログラムＲＯＭ１０４に持たせておき、必要流量を吸引するための圧力が決定される。また後述するように温度検知２０７で求められた温度とインクの粘度の関係を示すテーブルを元に圧力を決定するデータをさらにテーブルに加えてもよい。
【００３３】
圧力室２０２内の圧力が予め設定された所定負圧となっていることが確認できると、インク温度検知センサ２０７の検出値を読み込む。そして、インクの温度ないし粘度に対応して予め設定されたテーブルに基づいて、そのときに記録ヘッド２２に付与する最適な負圧を算出する（ステップＳ５）。最適な負圧とは、インクに圧力を加えたときに、インクの粘度に応じてその粘度のインクが所定の流速で流れるときの圧力である。よって、インク温度検知センサ２０７によりインクの温度を読み、その値からインク粘度を算出し、インク粘度に応じた最適な負圧を記録ヘッド２２に付与できるよう、圧力室２０２内を調整する（ステップＳ７）。この調整は、例えば吐出口形成面２２Ｓが既にキャップ５０により密閉状態とされているのであれば、記録ヘッド２２を上方に退避させて密閉状態を解除するとともに回復弁２０３を開放し、キャップ５０の開口部から空気を取り込むことによって行うことができる。そして、圧力センサ２０６の検出値に基づき、最適の負圧に調整されたところで回復弁２０３を密閉する。次に記録ヘッド２２Ｋを下方に移動させることによってキャップ５０により記録ヘッド２２Ｋの吐出口を密閉する。なお、かかる調整は、上記以外にも、吸引ポンプ２０１を逆転させて圧力室２０２内に廃インクタンク２０４側の開放部から空気を取り込むことで行うこともできる。また、図３に示したように、キャップ５０に大気開放弁２０８を設け、これを適宜開閉することで調整を行うこともできる。
【００３４】
調整後には、回復弁２０３を開放することによって圧力室２０２内の負圧を記録ヘッド２２のノズルに付与する（ステップＳ９）。このとき、キャップ内容積および吸引路容量の分、圧力が作用する体積が増加するが、キャップ内容積および吸引路容量の和に対して圧力室２０２の内容積が十分に大きければ、圧力の損失は最小限に抑えられる。また、圧力が作用する体積の増加による圧力損失を予め考慮して、最適な負圧への調整値を設定しておくようにしてもよい。
【００３５】
そして、ノズルに負圧を付与する時間を所定時間継続して必要な量の吸引を完了すると、記録ヘッド２２を上方に退避させてキャップ５０、吸引路２０５および圧力室２０２の内部を大気開放し吸引動作を終了する（ステップＳ１１）。これらを大気開放する方法としては、そのほか、キャップ５０に設けた大気開放弁２０８を開放することによって実現するものでもよい。
【００３６】
次に、当該大気開放を行ったままの状態で吸引ポンプ２０１を駆動し、キャップ５０、吸引路２０５および圧力室２０２の内部に排出されたインクを廃液タンク２０４に移送させる（ステップＳ１３）。さらに、記録ヘッド２２を下方に移動させることによってキャップ５０により記録ヘッド２２の吐出口形成面２２Ｓを密閉し、吸引回復を終了する（ステップＳ１５）。
【００３７】
以上のように、本実施形態によれば、実際の吸引回復に先立って予め圧力室２０２内を所定負圧状態に調整しておくことによって、吸引回復動作に要する時間を短縮することができる。また、圧力室２０２の内部の圧力調整を行った場合と行わなかった場合とを示す図６から明らかなように、インクの粘度に応じた最適な負圧を記録ヘッド２２のノズルに付与することによって、廃インク量を削減することが可能となる。さらに、負圧をインクの粘度に応じた所定の調整値に調整してノズルに付与する本実施形態の方法は、ノズルに負圧を付与する時間が短く、負圧付与時間を詳細に調整することが難しいノズル近傍のインクのみを吸引するような吸引回復に特に有効である。
【００３８】
なお、圧力室２０２の圧力を予め所定負圧に減圧する動作タイミングは、上述のように記録ヘッド２２のインクの累積吐出数が吸引回復動作を行うべき所定値に達する直前の第２の所定値に達したとき、すなわち記録動作中とするほか、適宜定め得るものである。例えば、装置の記録待機中において圧力室２０２の圧力を適時検出し、その検出値に応じて減圧動作を行うようにすることができる。あるいは、上記処理手順の一連の動作終了後に減圧動作を行うようにすることもできる。これらによれば、圧力室２０２の圧力が常に所定負圧に保たれることになるので、累積吐出数の管理に基づく吸引回復のほか、不定期の吸引回復指令（例えばユーザの指示に応じて突発的に起動されるに吸引回復指令）等にも対応が可能となる。
【００３９】
また、本実施形態では、ステップＳ３の処理において圧力室に貯める所定の負圧を、インクの粘度から想定される回復に必要な最大負圧より大きな負圧としたが、これに限られるものではない。
【００４０】
図８は本実施形態の変形例に係る吸引回復動作の処理手順の例を示すフローチャートである。本手順では、ステップＳ３の処理において圧力室に貯める所定の負圧を上記よりも小さな負圧、例えば想定される最大負圧と最小負圧との中間の値としている。そして、ステップＳ５の処理後に、その所定負圧とインクの温度ないし粘度に対応した最適な負圧とを比較し（ステップＳ６）、前者の方が大であれば上記ステップＳ７の処理（負圧の緩和）を実施する。一方、前者の方が小であれば、圧力室内の負圧を増大させる（ステップＳ８）。これらの処理によって圧力室内の負圧を最適な負圧に調整した後に、回復弁２０３を開放することによって圧力室２０２内の負圧を記録ヘッド２２のノズルに付与する処理（ステップＳ９）に移行する。
【００４１】
かかる変形例によっても上記と同様の効果を得ることができる。また、ステップＳ３の処理において圧力室に貯める所定負圧を、インクの粘度から想定される回復に必要な最大負圧より大きな負圧より小としておくことで、その処理時間を短縮することができる。なお、所定負圧が上記最適な負圧より小さい場合でも、圧力室内は予めある程度の負圧状態となっているので、負圧を増大させるステップＳ８の処理に要する時間は短くてすむ。
【００４２】
（第２の実施形態）
上述の実施形態においては、吸引回復に先立って予め圧力室２０２内を所定負圧状態に設定し、さらにその所定負圧をインクの粘度に応じた最適な負圧に調整してノズルに付与するものとした。しかしインクの粘度に応じた所定の調整値に調整するのではなく、ノズルに負圧を付与する時間をインクの粘度に応じて変化させることによっても、上記実施形態と同様の効果を得ることができる。
【００４３】
図９は、本発明の第２の実施形態に係る吸引回復動作の処理手順の例を示すフローチャート、図１０は、当該処理過程における圧力センサの検出値を示すグラフであり、これらの図を用いて本実施形態の吸引回復動作を説明する。なお、図９において、図４における処理ステップと同様のものには同じ参照符号を付してある。
【００４４】
本実施形態においては、圧力センサ２０６の検出値に基づき圧力室２０２内が所定負圧状態となっていることが確認できた場合（ステップＳ３）、インク温度検知センサ２０７の値を読み込む。そして、インクの温度ないし粘度に対応して予め設定されたテーブルに基づいて、記録ヘッド２２に所定負圧を付与する時間を算出する（ステップＳ１５）。ここで、インクの粘度によって記録ヘッド２２の回復動作に必要な流量を発生させる負圧（最適負圧）は異なり、インク粘度が高い場合には大きな負圧が必要になり、逆にインク粘度が低い場合には小さな負圧で十分である。そこで、図１０に示すように、記録ヘッド２２から吸引される吸引量を常に一定に保つべく、すなわち必要最小限の吸引を行い、無駄な廃インクを生じさせないようにするべく、インクの粘度に応じて吸引時間を変化させるようにする。つまり、記録ヘッド２２に所定負圧を付与する時間が、インクの粘度が高い場合には、低い場合と比較して長くなるようにするのである。そして、上記算出時間だけ回復弁２０３を開放し、圧力室２０２内の負圧を記録ヘッド２２のノズルに付与する（ステップＳ１９）。
【００４５】
なお、キャップ内容積および吸引路容量の分、圧力が作用する体積が増加することで生じる圧力損失には、上記実施形態と同様にすることで対処可能である。また、吸引動作以降は上記実施形態と同様の処理が行われる。そして、本実施形態によっても、上述した実施形態と同様の効果を得ることができる。
【００４６】
（その他）
以上の２つの実施形態においては、１つの記録ヘッド２２に対して回復弁２０３、圧力室２０２、吸引ポンプ２０１および廃インククタンク２０４を含む吸引回復系を設けた構成について説明した。しかし図１のように、複数の記録ヘッドを用いるインクジェット記録装置においては、２以上の記録ヘッドに対して共通した吸引回復系を設けるようにしてもよい。図１１はその構成例を示し、Ｃインク用の記録ヘッド２２ＣおよびＫインク用の記録ヘッド２２Ｋに対して、回復弁２０３、圧力室２０２、吸引ポンプ２０１および廃インククタンク２０４を含む共通の吸引回復系を設けたものである。
【００４７】
また、上例ではＫ、Ｃ、ＭおよびＹのインクを吐出するための記録ヘッド２２Ｋ、２２Ｃ、２２Ｍおよび２２Ｙを用いる構成について説明したが、記録ヘッドの個数や色調（色、濃度）の種類および吐出する液体の種類などは適宜定め得るものである。
【００４８】
さらに、上例では所謂ラインプリンタ形態の印刷装置に本発明を適用した場合について説明した。しかし本発明は、記録媒体搬送方向に対して交差する方向に記録ヘッドを移動させ、その過程でインク吐出を行うことにより記録を行う所謂シリアルプリンタ形態の記録装置に適用することもできる。
【符号の説明】
【００４９】
２２、２２Ｋ、２２Ｃ、２２Ｍ、２２Ｙ  記録ヘッド
５０  キャップ
２０１  吸引ポンプ
２０２  圧力室
２０３  回復弁
２０４  廃インクタンク
２０５  吸引路
２０６  圧力センサ
２０７  インク温度検知センサ
【図１】
2011131491.tif 000003
【図２】
2011131491.tif 000004
【図３】
2011131491.tif 000005
【図４】
2011131491.tif 000006
【図５】
2011131491.tif 000007
【図６】
2011131491.tif 000008
【図７】
2011131491.tif 000009
【図８】
2011131491.tif 000010
【図９】
2011131491.tif 000011
【図１０】
2011131491.tif 000012
【図１１】
2011131491.tif 000013